【手続補正書】
【提出日】平成17年3月18日(2005.3.18)
【手続補正１】
【補正対象書類名】明細書
【補正対象項目名】全文
【補正方法】変更
【補正の内容】
【書類名】      明細書
【発明の名称】  調理関連情報提供装置
【特許請求の範囲】
【請求項１】
調理手順および調理タイトルの少なくとも何れか一方に関する調理データを含む調理関連情報を調理機器に提供する調理関連情報提供装置であって、
上記調理機器において、料理関係者の嗜好に応じて使用された調理データの使用履歴を示す履歴情報を取得する履歴情報取得手段と、
上記履歴情報と推薦する献立を決定するための推薦規則とに基づいて、複数の調理関連情報から少なくとも１つの献立に関する調理関連情報を推薦する調理関連情報選択手段と、
上記推薦された調理関連情報を上記調理機器に提供する調理関連情報提供手段と、
を備えたことを特徴とする調理関連情報提供装置。
【請求項２】
上記履歴情報取得手段で取得した履歴情報は、複数の調理タイトルの情報であり、
上記調理関連情報選択手段において、さらに、
調理材料と上記調理材料の分類を記憶する調理材料分類情報記憶手段を保有し、
上記履歴情報取得手段で取得した上記調理タイトルの調理材料を用いて、上記複数の調理タイトルに対して最も多く選択されている調理材料の分類を決定し、前記決定された調理材料の分類に対して、上記調理タイトル以外の調理タイトルを上記調理関連情報として選択する
ことを特徴とする請求項１記載の調理関連情報提供装置。
【請求項３】
上記履歴情報取得手段で取得した履歴情報は、複数の調理タイトルの情報であり、
上記調理関連情報選択手段において、さらに、
前記調理タイトルに対する調理種別の分類を記憶する調理種別分類情報記憶手段を保有し、
上記履歴情報取得手段で取得した上記調理タイトルの調理種別を用いて、上記複数の調理タイトルに対して最も多く選択されている調理種別の分類を決定し、前記決定された調理種別の分類に対して、上記調理タイトル以外の調理タイトルを上記調理関連情報として選択する
ことを特徴とする請求項１記載の調理関連情報提供装置。
【発明の詳細な説明】
【０００１】
【発明の属する技術分野】
本発明は、調理手順データ（レシピデータ）や調理機器の制御データを含む調理情報に基づいて、上記調理手順データの表示や上記制御データに応じた調理制御が行われる電子レンジ等の調理機器に、上記調理情報や上記調理機器のメインテナンス情報などの調理関連情報を提供する技術に関するものである。
【０００２】
【従来の技術】
食事の献立（調理メニュー）を考えることを非常に手間であると感じている主婦は多い。そこで、複数のレシピデータを電子レンジ内のメモリに記憶させておき、そのレシピデータの中から所望のものを検索して、実際に調理する献立を考えることのできる電子レンジが実用化されている。
【０００３】
ところが、電子レンジ内のメモリにあらかじめ蓄えておくことのできるデータ量には限りがあるため、メモリ内のデータを更新する種々の方法が提案されている。
【０００４】
例えば、特開２０００−１３４６７６号公報には、地上テレビ波を利用して提供される調理情報をテレビ受像機によって受信し、その中で必要な調理情報をリモートコントローラを介して電子レンジに転送することにより、電子レンジ内の調理情報を更新する方法が提案されている。
【０００５】
また、特開２０００−３４６３６６号公報や特開２０００−３４６３６７号公報には、インターネットのホームページ上に公開されている調理情報をパーソナルコンピュータを用いてダウンロードし、中継ボックスと称される装置を介して電子レンジに転送する方法が提案されている。
【０００６】
【発明が解決しようとする課題】
しかしながら、地上テレビ波で受信するデータも、ホームページ上に公開されているデータも、使用者が本当に欲しい情報、または必要な情報のみが含まれているわけではなく、使用者は、数多くあるデータの中から所望するデータを自分で選択する作業が必要となる。この作業は非常に手間のかかる場合があり、そのような作業を好まない使用者も多い。したがって、従来の調理情報を提供、取得するシステムは、所望の調理情報を容易に取得し、活用することが困難であるという問題点を有していた。
【０００７】
そこで本発明は、使用者が数多くあるデータの中から１つまたはいくつかを選ぶのに要する手間を軽減し、使用者に合った情報を容易に取得できるようにすることを課題とする。
【０００８】
【課題を解決するための手段】
上記の課題を解決するために、本発明は、調理機器の使用者による調理などの履歴情報、例えば電子レンジの使用履歴情報に基づいて、その使用者に適した献立や必要な献立などを推薦することにより、使用者が自分に合った情報を少ない手間で容易に得られるようにするものである。
【０００９】
具体的には、請求項１の発明が講じた解決手段は、
調理手順および調理タイトルの少なくとも何れか一方に関する調理データを含む調理関連情報を調理機器に提供する調理関連情報提供装置であって、
上記調理機器において、料理関係者の嗜好に応じて使用された調理データの使用履歴を示す履歴情報を取得する履歴情報取得手段と、
上記履歴情報と推薦する献立を決定するための推薦規則とに基づいて、複数の調理関連情報から少なくとも１つの献立に関する調理関連情報を推薦する調理関連情報選択手段と、
上記推薦された調理関連情報を上記調理機器に提供する調理関連情報提供手段と、
を備えたことを特徴とする。
【００１０】
請求項１の発明によると、料理関係者の嗜好に応じて使用された調理データを示す履歴情報に基づいて、提供される調理関連情報が選択されるので、適切な献立についてのレシピデータなどを容易に提供、取得することができる。
【００１１】
また、請求項２の発明は、
請求項１記載の調理関連情報提供装置であって、
上記履歴情報取得手段で取得した履歴情報は、複数の調理タイトルの情報であり、
上記調理関連情報選択手段において、さらに、
調理材料と上記調理材料の分類を記憶する調理材料分類情報記憶手段を保有し、
上記履歴情報取得手段で取得した上記調理タイトルの調理材料を用いて、上記複数の調理タイトルに対して最も多く選択されている調理材料の分類を決定し、前記決定された調理材料の分類に対して、上記調理タイトル以外の調理タイトルを上記調理関連情報として選択する
ことを特徴とする。
【００１２】
また、請求項３の発明は、
請求項１記載の調理関連情報提供装置であって、
上記履歴情報取得手段で取得した履歴情報は、複数の調理タイトルの情報であり、
上記調理関連情報選択手段において、さらに、
前記調理タイトルに対する調理種別の分類を記憶する調理種別分類情報記憶手段を保有し、
上記履歴情報取得手段で取得した上記調理タイトルの調理種別を用いて、上記複数の調理タイトルに対して最も多く選択されている調理種別の分類を決定し、前記決定された調理種別の分類に対して、上記調理タイトル以外の調理タイトルを上記調理関連情報として選択する
ことを特徴とする。
【００１３】
これらによると、料理関係者の嗜好に応じた調理材料や調理種別のレシピなどが適切に選択されて推薦される。
【００１４】
【発明の実施の形態】
（実施の形態１）
（調理関連情報提供システムの概略構成）
以下、本発明の実施の形態１として、調理機器としてのオーブン加熱機能と高周波加熱機能とを有する電子レンジに、調理手順データ（レシピデータ、調理データ）や調理機器の制御データを含む調理情報（調理関連情報）が提供される調理関連情報提供システムについて、図面を参照して説明する。
【００１５】
図１は調理関連情報提供システムの全体構成を示すブロック図である。同図において、
１０５は、調理機器の一例としての電子レンジである。
【００１６】
１０３は、パーソナルコンピュータや携帯電話、簡易情報端末などの情報端末である。
【００１７】
１０４は、メモリカードなどの着脱可能な記録媒体であり、上記電子レンジ１０５と情報端末１０３との間で、調理手順データや電子レンジの制御データを含む調理情報、および電子レンジ１０５の使用履歴等に関する履歴情報などを相互に伝達するものである。なお、電子レンジ１０５が直接インターネット１０２に接続される場合などには、上記情報端末１０３および記録媒体１０４は必ずしも用いなくてもよい。
【００１８】
１０２は、通信インフラストラクチャの一例としてのインターネットである。
【００１９】
１０１は、電子レンジ１０５に対する上記調理情報の提供等を行うサーバである。
【００２０】
（電子レンジ１０５の具体的な構成）
上記電子レンジ１０５は、具体的には、例えば図２に示すような外観を有し、操作入力部１１１と液晶画面等の表示部１１４とを備えている。操作入力部１１１には、例えば図３に示すように、［上］キー１２１と、［下］キー１２２と、［左］キー１２３と、［右］キー１２４と、［お気に入り］キー１２５と、［決定］キー１２６と、［戻る］キー１２７と、［スタート］キー１２８とが設けられている。また、この電子レンジ１０５では、後に詳述するように（図１０）、表示部１１４に種々の献立についての調理手順等を表示させることができるとともに、その調理手順の表示に合わせて加熱時間や加熱強度などが自動的に制御され、容易に調理を行うことができるようになっている。
【００２１】
この電子レンジ１０５は、機能的には、例えば図４に示すような構成を有している。同図において、
２０１は、記録媒体１０４を挿入するための記録媒体挿入部である。
【００２２】
２０２は、記録媒体挿入部２０１に挿入された記録媒体１０４に記録されている調理情報などのデータを読み出すデータ読み込み部（調理関連情報取得手段）である。
【００２３】
２０５は、上記データ読み込み部２０２や、後述する表示データ記憶部２０８、ユーザデータ記憶部２０９、および入力解析部２０６などから出力されるデータに基づいて、表示部１１４に表示する内容を決定して表示制御する表示データ決定部である。この表示データ決定部２０５は、また、上記表示している内容を特定する情報を一時的に記憶しておくようになっている。
【００２４】
２０６は、操作入力部１１１の操作内容を解析し、その操作内容に応じて、上記表示データ決定部２０５に表示内容を指示する入力解析部である。この入力解析部２０６は、また、操作入力部１１１による調理指示操作に応じて、電子レンジ１０５の本体部である調理部２０７の動作を指示するようになっている。
【００２５】
２０８は、表示部１１４への表示を行うためにあらかじめ設定された表示データ等、例えばフォントデータや画像データを記憶する表示データ記憶部である。表示データ記憶部２０８は、また、電子レンジ１０５を動作させるためのプログラムなども記憶するようになっている。
【００２６】
２０９は、電子レンジ１０５の使用履歴等に関する履歴情報、例えば表示部１１４に調理手順を表示させながら、この電子レンジ１０５を用いて実際に調理した献立を示す情報や、調理手順を表示させた際に「お気に入り」としての登録操作（後に優先的に表示させて容易に選択できるようにする指示）がなされた献立を示す情報（表示データと１：１で関連づけられた情報）を記憶するユーザデータ記憶部である。
【００２７】
２１０は、記録媒体挿入部２０１に記録媒体１０４が挿入された際に、ユーザデータ記憶部２０９に記憶されている情報の一部、またはすべてを記録媒体１０４に書き込むデータ書き込み部（選択情報出力手段）である。
【００２８】
また、上記電子レンジ１０５は、ハードウェア的には、例えば図５に示すような構成を有している。すなわち、ＣＰＵ３０１と、ＲＡＭ３０２と、ＲＯＭ３０３（例えばマスクＲＯＭ）と、書き込み消去可能ＲＯＭ３０４（例えばフラッシュＲＯＭやＥＥＰＲＯＭ）と、入出力インタフェイス３０５とがバス３０６を介して互いに接続されている。入出力インタフェイス３０５には、記録媒体挿入部２０１、表示部１１４、操作入力部１１１、および調理部２０７が接続されている。上記ＲＯＭ３０３は主として表示データ記憶部２０８とし機能し、書き込み消去可能ＲＯＭ３０４は主としてユーザデータ記憶部２０９として機能する。また、ＣＰＵ３０１等は、例えばＲＯＭ３０３に記憶されたプログラムに基づいて動作することにより、表示データ決定部２０５や入力解析部２０６などとして機能するようになっている。
【００２９】
（記録媒体１０４の記憶構造）
記録媒体１０４には、例えば図６に示すような階層化されたディレクトリ構造で各情報のファイルが記録されるようになっている。すなわち、記録媒体１０４のルートには、調理情報を格納するためのレシピサービス用ディレクトリ２００１が設けられている。上記レシピサービス用ディレクトリ２００１の直下には、メタデータファイル２００２、各調理情報を格納するレシピディレクトリ２００３（レシピ１〜Ｎディレクトリ）、および履歴情報２００９が設けられている。メタデータファイル２００２には、レシピサービス用ディレクトリ２００１内に格納されている調理情報に関する管理情報が記録されている。この管理情報は、調理情報を検索する際や、新たに記録媒体１０４に調理情報を記録する際に用いられる。また、各レシピディレクトリ２００３内には、
料理の完成イメージを表す画像や調理の仕方に関するアドバイスを表示する画像などの画像データである画像ファイル２００４、
調理時に使用される電子レンジの制御データ、例えば温度設定や出力（加熱強度）に関する調理データファイル２００５、
調理手順を示すレシピデータである作り方ファイル２００６、および
必要な材料と分量を示す材料ファイル２００７などが格納されている。ここで、表示のために用いられる調理情報の形式は、特に限定されないが、例えばＨＴＭＬやＸＭＬ、ＸＨＴＭＬに代表されるようなMarkup Languageで記述されていることが表示処理の容易さなどの点で望ましい。
【００３０】
なお、記録媒体１０４の記憶構造は上記に限らず電子レンジ１０５や情報端末１０３で行われる処理に応じた構造にすればよく、例えば履歴情報はメタデータファイル２００２として記憶されるようにするなどしてもよい。
【００３１】
（情報端末１０３の具体的な構成）
情報端末１０３は、具体的には、例えば図７に示すような構成を有している。
【００３２】
４０１は、電子レンジ１０５の記録媒体挿入部２０１と同様に、記録媒体１０４を挿入するための記録媒体挿入部である。
【００３３】
４０２は、記録媒体挿入部４０１に挿入された記録媒体１０４から、前記電子レンジ１０５によって記録された履歴情報等を読み込むデータ読み込み部である。
【００３４】
４０９は、記録媒体挿入部４０１に挿入された記録媒体１０４に、サーバ１０１からダウンロードされた調理情報等を書き込むデータ書き込み部である。
【００３５】
４０３は、使用者がインターネット１０２への接続や調理情報のダウンロードなどの操作を入力する操作入力部である。
【００３６】
４０４は、操作入力部４０３の操作内容を解析し、その操作内容に応じて各部の動作を指示する入力解析部である。
【００３７】
４０５は、インターネット１０２を介して種々の情報や指示を送信するための送信データを生成する送信データ作成部である。
【００３８】
４０６は、上記送信データ作成部４０５によって生成された送信データをインターネット１０２を介して送信するデータ送信部である。
【００３９】
４０７は、インターネット１０２から種々のデータを受信するデータ受信部である。
【００４０】
４０８は、データ受信部４０７が受信したデータを解析し、記録媒体１０４への書き込み指示やデータの内容を表示するための表示指示等をする受信データ解析部である。
【００４１】
４１０は、上記受信データ解析部４０８からの表示指示に応じて表示制御を行う表示制御部である。この表示制御は、具体的には、例えば、マイクロソフト社製のInternet Explorerやネットスケープコミュニケーションズコーポレーション社製のNetscapeなどのようなブラウザによって行われ、ＨＴＭＬやＸＭＬ、ＸＨＴＭＬなどのMarkup Languageで記述されたデータに基づいて表示がなされるようになっている。なお、これらに限定されるものではなく、独自に作成されたアプリケーションプログラムを用いるなどしてもよい。
【００４２】
４１１は、表示制御部４１０の制御に応じて文字や画像等を表示画面に表示する表示部である。
【００４３】
上記のような情報端末１０３のハードウェア構成は、前記電子レンジ１０５とほぼ同様である。ただし、調理部２０７は設けられず、書き込み消去可能ＲＯＭ３０４も必ずしも備える必要はない。また、情報端末１０３がパーソナルコンピュータなどによって構成される場合には、操作入力部４０３や表示部４１１としては、通常、マウスやキーボード、コンピュータディスプレイなどが用いられるとともに、ハードディスクなどの大容量の記憶装置が備えられる。
【００４４】
（サーバ１０１の具体的な構成）
サーバ１０１は、具体的には、例えば図８に示すような構成を有している。
【００４５】
５０１は、インターネット１０２を介して送られてくる種々の情報や要求などを示すデータを受信するデータ受信部である。
【００４６】
５０２は、データ受信部５０１が受信したデータを解析し、そのデータの内容や送信元を特定する受信データ解析部（選択情報取得手段）である。
【００４７】
５０４は、上記送信元を示す送信元情報を記憶する送信元記憶部である。
【００４８】
５０８は、上記送信元から送られてきた、電子レンジ１０５の使用履歴等に関する履歴情報に基づいて、その送信元に推薦する献立を決定する推薦データ決定部（調理関連情報選択手段）である。
【００４９】
５０７は、上記推薦する献立を決定するための推薦規則を記憶する推薦規則データベースである。
【００５０】
５０９は、上記推薦の対象となる献立についてのレシピデータや、その調理に用いる電子レンジ１０５の制御データなどの調理情報を記憶する調理メニューデータベースである。
【００５１】
５０５は、上記推薦データ決定部５０８による推薦献立の決定や、受信データ解析部５０２によって解析された送信元からの要求に応じ、調理メニューデータベース５０９に記憶された調理情報等に基づいて、上記送信元に対して送信（応答）するための送信データを生成する送信データ作成部（調理関連情報提供手段）である。
【００５２】
５０３は、上記送信データ作成部５０５によって送信データを生成するための応答規則を記憶する応答規則データベースである。
【００５３】
５０６は、上記生成された送信データを１０２を介して送信元に送信するデータ送信部である。
【００５４】
上記のようなサーバ１０１のハードウェア構成も、基本的に、前記情報端末１０３とほぼ同様である。
【００５５】
次に、上記のように構成された調理関連情報提供システムの動作について、電子レンジ１０５によって行われる動作と、情報端末１０３およびサーバ１０１によって行われる動作とに分けて説明する。
【００５６】
（レシピデータの参照や調理が行われるときの電子レンジ１０５の動作）
操作入力部１１１によってレシピデータを表示させる操作がなされると、例えば記録媒体１０４に記憶されているレシピデータがデータ読み込み部２０２によって読み出され、図９に示すように表示部１１４に表示される。そこで、お気に入りに追加ボタン１１４ａが選択されると、後述するように、その献立を示す情報がユーザデータ記憶部２０９に記憶される（なお、このようなお気に入りの登録（選択）のためには、必ずしも調理手順を示すデータは必要でなく、調理タイトルだけを用いて登録をできるようにしてもよい。すなわち、この点においては、レシピデータは調理タイトルだけを含むものなどでもよい。）。また、調理ボタン１１４ｂが選択されると、例えば図１０（ａ）〜（ｉ）に示すように調理手順が順次表示部１１４に表示される。すなわち、まずメイン画面（ａ）には、「じゃがいものファルシ」の完成イメージや調理所要時間、カロリー等の主要なデータが表示される。次の材料画面（ｂ）には、「じゃがいものファルシ」に必要な材料と分量が表示される。この材料画面では、家族の人数等に応じて分量を変更することができる。分量が決定されると、作り方一覧画面（ｃ）が示され、調理が開始される。調理が進むにつれて、画面は作り方の手順を示しながら逐次変化し（ｄ〜ｈ）、調理が終了すると、できあがり画面（ｉ）が表示される。また、（ｅ）や（ｈ）の画面が表示される段階では、調理部２０７に対して制御指示がなされることにより、その献立に応じた加熱強度や加熱時間などの制御が自動的に行われる。
【００５７】
また、上記のようなお気に入りの追加操作や調理がなされると、図１１に示すような動作が行われて、その献立を示す情報が記録媒体１０４に記録される。
【００５８】
（Ｆ２１０１）  まず、入力解析部２０６によって、操作入力部１１１の操作等により上記のような調理がなされたかどうかが判定される。なお、この判定は、前記図１０（ｉ）に示すように調理が完了した時点で（調理が完了したことを条件として）なされることがより好ましいが、図９の調理ボタン１１４ｂが選択された時点などでなされるようにしてもよい。
【００５９】
（Ｆ２１０２）  上記（Ｆ２１０１）で調理がなされていなければ、次に、入力解析部２０６によって、操作入力部１１１の操作によりお気に入りの追加操作がなされたかどうかが判定される。
【００６０】
（Ｆ２１０３）  上記（Ｆ２１０１）（Ｆ２１０２）で何れの操作もなされていなければ上記処理が繰り返される一方、何れかの操作がなされていれば、表示データ決定部２０５に一時的に保持されている、上記選択されたレシピを示す情報、より詳しくは例えばそのレシピのタイトル「じゃがいものファルシ」や、あらかじめ献立に対応づけられた献立番号（ＩＤ）などがユーザデータ記憶部２０９に履歴情報として記憶される。具体的な履歴情報の例を図１２に示す。同図に示す履歴情報６０１のように、タイトルだけを記憶させるのに限らず、履歴情報６０２のように調理回数（電子レンジ１０５が使用された回数や、操作入力部１１１のキーが押された回数、または、特定のキーが押された回数など）を併せて記憶させるなどしてもよい。
【００６１】
（Ｆ２１０４）  次に、データ書き込み部２１０によって、データ書き込み部２１０に記録媒体１０４が挿入されているかどうかが判定され、挿入されていなければ、上記（Ｆ２１０１）以降が繰り返される。
【００６２】
（Ｆ２１０５）  データ書き込み部２１０に記録媒体１０４が挿入されていれば、データ書き込み部２１０によって、ユーザデータ記憶部２０９に記憶されている履歴情報が記録媒体１０４に書き込まれる。なお、記録媒体１０４への記録は、上記のように調理やお気に入りへの追加操作がなされたときに限らず、例えば、調理を開始する操作がなされたとき（使用者が調理することを決定したとき）や、記録媒体１０４が記録媒体挿入部２０１に挿入されたのが検知されたときなど、あらかじめ設定された種々の書き込み条件が満たされたときに行われるようにしてもよい。また、電子レンジ１０５がインターネット１０２に直接接続されている場合などには、ユーザデータ記憶部２０９に記憶されているデータを、記録媒体１０４を介することなくサーバ１０１等に送信するなどしてもよい。
【００６３】
（調理情報の提供が行われるときの情報端末１０３、サーバ１０１の動作）
情報端末１０３からサーバ１０１に履歴情報が送信され、これに基づいて推薦される献立の調理情報が提供（ダウンロード）される場合には、次のような動作が行われる。
【００６４】
まず、情報端末１０３の記録媒体挿入部４０１に記録媒体１０４が挿入され、操作入力部４０３の操作によって、調理情報がダウンロードされるべくブラウザが起動されてサーバ１０１にアクセスされると、情報端末１０３の表示部４１１には、例えば図１３に示すようにダウンロードを行うための画面が表示される。
【００６５】
そこで、ＩＤ入力部７０１およびパスワード入力部７０２に利用者を特定するためのユーザＩＤおよびパスワードが入力されて実行ボタン７０３が選択されると、以下、図１４に示すような処理が行われる。
【００６６】
（Ｆ２２０１）  情報端末１０３のデータ送信部４０６は上記ユーザＩＤとパスワードをサーバ１０１に送信する。また、データ読み込み部４０２が、前記のようにして記録媒体１０４に記録された履歴情報（図１２）を読み出し、送信データ作成部４０５は例えば図１５に示すようにＨＴＴＰ（HyperText Transfer Protocol）に従った送信データ８０１を生成し、生成された送信データをデータ送信部４０６が送信する。上記送信データ８０１におけるプログラム実行指示部８０２は、ＩＰアドレスが１３２．１２３．２．３であるサーバ１０１にプログラム「RecomendMenu.cgi」の実行を指示することを示している。また、履歴データ部８０３は、記録媒体１０４から読み出された履歴情報を示している。なお、送信データ８０１には、さらに、ＴＣＰ／ＩＰに従った図示しない送信元ＩＰアドレス（送信元情報）なども含まれる。また、さらに履歴情報として使用回数なども含められるようにしてもよい（選択情報出力ステップ）。
【００６７】
（Ｆ２２０９）  サーバ１０１のデータ受信部５０１は、上記情報端末１０３のデータ送信部４０６からインターネット１０２を介してサーバ１０１に送信された上記送信データの受信処理を行う（選択情報取得ステップ）。
【００６８】
（Ｆ２２１０）  そして、受信データが上記のような調理情報の提供を要求するものであるかどうかを判定し、調理情報の要求でなければ、上記受信処理を繰り返す一方、調理情報の要求であれば、（Ｆ２２１１）に移行する。
【００６９】
（Ｆ２２１１）  受信データ解析部５０２は上記受信データを解析して、送信元情報を送信元記憶部５０４に記憶させる。この送信元情報は、サーバ１０１から調理情報等を送信する際に参照される。また、受信データ解析部５０２は、推薦データ決定部５０８にプログラム「RecomendMenu.cgi」の実行を指示する。この指示に応じて、推薦データ決定部５０８は、上記履歴情報と推薦規則データベース５０７に記憶されている推薦規則とに基づいて、推薦する献立を決定する。
【００７０】
上記推薦献立の決定は、具体的には例えば次のようにして行われる。すなわち、推薦規則データベース５０７には、例えば、図１６に示すように献立に対して、調理材料と、調理の種類とを対応させたテーブル９０１（例えば、「じゃがいものグラタン」というタイトルの献立は材料が「じゃがいも」で種類は「グラタン」であることを示す。）と、図１７に示すように調理材料を階層構造（木構造）に分類した調理材料分類情報１００１と、図１８に示すように調理の種別を階層構造（木構造）に分類した調理種別分類情報１１０１とが記憶されている。
【００７１】
そこで、前記履歴情報６０１（図１２）が受信された場合には、推薦データ決定部５０８は、これに含まれる献立「じゃがいものグラタン」「鳥の酒蒸し」「チーズグラタン」「なすの中華風サラダ」「ローストチキン」に基づいて、テーブル９０１（図１６）を参照し、「調理材料」および「調理種別」の観点から、最も多く使用されている調理材料は「鳥肉」であり、最も多く選択されている調理種別は「グラタン」である（使用者の好みの調理材料は「鳥肉」であり、好みの調理の調理種別は「グラタン」である可能性が高い）と判定する。さらに、推薦データ決定部５０８は、上記判定結果に基づいて、調理材料分類情報１００１（図１７）を参照し、鳥肉を使用したメニューの中で、履歴情報に含まれていないメニューとして「鳥の八幡焼き」を選択する。また、同様に、調理種別分類情報１１０１（図１８）を参照し、「かぼちゃのグラタン」を選択し、これらを推薦献立（提供する調理情報の候補）として決定する（調理関連情報選択ステップ）。
【００７２】
（Ｆ２２１２）  送信データ作成部５０５は、上記決定、送信元記憶部５０４に記憶されている送信元情報、および応答規則データベース５０３に記憶されている応答規則に基づいて、推薦献立を送信元の使用者に提示するための送信データを生成し、データ送信部４０６は、生成された送信データをインターネット１０２を介して情報端末１０３に送信する。
【００７３】
（Ｆ２２０２）  情報端末１０３のデータ受信部４０７は、上記サーバ１０１から送信されたデータの受信処理を行う。
【００７４】
（Ｆ２２０３）  受信データ解析部４０８は受信データを解析して、サーバ１０１からの応答であるかどうかを判定し、応答でなければ、上記受信処理を繰り返す一方、サーバ１０１からの応答であれば、（Ｆ２２０４）に移行する。
【００７５】
（Ｆ２２０４）  表示制御部４１０によって、例えば図１９に示すような推薦献立表示１２０１がなされ、「鳥の八幡焼き」および「かぼちゃのグラタン」についての調理情報をダウンロードできることが示される。そこで、操作入力部４０３によって上記表示におけるダウンロードボタンを選択する操作がなされることによって、サーバ１０１に例えば「カボチャのグラタン」についての調理情報の送信を要求する献立が決定される。
【００７６】
（Ｆ２２０５）  そこで、入力解析部４０４は上記操作に応じて、選択された調理情報をサーバ１０１に要求するように送信データ作成部４０５に指示する。送信データ作成部４０５は、上記指示に応じて、例えば図２０に示すような送信データ１３０１を生成し、生成された送信データをデータ送信部４０６が送信する。上記送信データ１３０１における「itm00043.zip」は、「カボチャのグラタン」の調理情報に対して一意に定められているＩＤ（ファイル名）であり、このＩＤに関する情報はサーバ１０１から受信した受信データ中に記述されている。
【００７７】
（Ｆ２２１３）（Ｆ２２１４）  前記（Ｆ２２０９）（Ｆ２２１０）と同様に、サーバ１０１のデータ受信部５０１による受信処理および受信データの判定が行われる。
【００７８】
（Ｆ２２１５）  受信データ解析部５０２は受信データを解析して前記推薦献立のうちの何れについて調理情報の送信が要求されたかを判定し、「かぼちゃのグラタン」についての調理情報の送信が要求されたことを検出する。
【００７９】
（Ｆ２２１６）  送信データ作成部５０５は、上記受信データ解析部５０２の判断を受けて、調理メニューデータベース５０９から「itm00043.zip」で識別される「かぼちゃのグラタン」についての調理情報を参照し、その調理情報を含む送信データを生成し、データ送信部４０６は、インターネット１０２を介して、送信元記憶部５０４に記憶されている送信元に送信する（調理関連情報提供ステップ）。
【００８０】
（Ｆ２２１７）  また、必要に応じて、使用者から送信された履歴情報、および使用者に対して送信した調理情報を示す情報を記憶しておくようにしてもよい。
【００８１】
（Ｆ２２０６）（Ｆ２２０７）  前記（Ｆ２２０２）（Ｆ２２０３）と同様に、情報端末１０３のデータ受信部４０７による受信処理および受信データの判定が行われる（調理関連情報取得ステップ）。
【００８２】
（Ｆ２２０８）  受信データ解析部４０８は受信データに含まれる「カボチャのグラタン」についての調理情報をデータ書き込み部４０９に出力し、その調理情報はデータ書き込み部４０９によって記録媒体１０４に書き込まれる。そこで、例えばサーバ１０１からの情報提供（ダウンロード）が完了した旨の表示がなされた後に、その記録媒体１０４を取り外して電子レンジ１０５の記録媒体挿入部２０１に挿入すると、前記（図１０）のように表示部１１４に調理手順等を表示させながら調理することなどができる。
【００８３】
（実施の形態２）
本発明の実施の形態２として、前記実施の形態１のサーバ１０１と同様の機能に加えて、さらに、情報端末１０３から送信された電子レンジ１０５の使用の履歴情報や調理情報等のダウンロード履歴情報を蓄積するとともに、前記のような調理情報の提供に加えて、調理関連情報として機器のメインテナンスに関する情報などのサービス情報も提供するサーバの例を説明する。なお、本実施の形態２において、前記実施の形態１と同様の機能を有する構成要素については同一の符号を付して説明を省略する。
【００８４】
（サーバ１４００の具体的な構成）
図２１に示すように、サーバ１４００には、前記実施の形態１のサーバ１０１の構成に加えて、使用者記憶部１４０１と、使用者履歴データベース１４０２と、サービス規則データベース１４０３と、サービスデータ決定部１４０４とが設けられている。また、調理メニューデータベース５０９に代えて調理メニューデータベース１４０５が設けられている。
【００８５】
使用者記憶部１４０１は、使用者が継続的にサーバ１４００にアクセスしている間、その使用者を特定する情報を保持するようになっている。すなわち、履歴情報を蓄積する場合、その履歴情報は使用者（ユーザＩＤ等）と対応させて蓄積する必要があるが、一方、この履歴情報と、情報端末１０３やＩＰアドレス等との対応関係は必ずしも一定とは限らないため、情報端末１０３からサーバ１４００へのアクセス開始時に例えばユーザＩＤとＩＰアドレスとの対応関係を保持しておき、継続的なアクセス中に履歴情報のアップロードや調理情報等のダウンロードがなされる際に、ＩＰアドレスをユーザＩＤに変換し得るようになっている。
【００８６】
使用者履歴データベース１４０２は、使用者による電子レンジ１０５の使用の履歴情報、および調理情報やメインテナンス情報のダウンロード履歴情報を記憶するようになっている。具体的には、例えば図２２に示すように、ユーザＩＤと対応させて、献立の種類と、その献立の調理回数が記憶されている。
【００８７】
サービスデータ決定部１４０４は、使用者に提供するメインテナンス情報等のサービス情報を決定するようになっている。
【００８８】
サービス規則データベース１４０３は、上記サービスデータ決定部１４０４によるサービス情報を決定するための規則、すなわち、電子レンジ１０５の使用者に対するサービスに関する規則やサービス内容をを記憶するようになっている。具体的には、例えば図２３に示すように、電子レンジ１０５の構成部分（オーブン加熱部やレンジ加熱部）ごとに、その構成部分の使用回数に応じたサービス内容が記憶されている。
【００８９】
調理メニューデータベース１４０５には、実施の形態１の調理メニューデータベース５０９と同様の記憶内容に加えて、例えば図２４に示すように、献立に応じてその献立を調理する際に使用される電子レンジ１０５の構成部分を示す情報が記憶されている。
【００９０】
なお、電子レンジ１０５や情報端末１０３としては、前記実施の形態１と同様のものを適用することができる。
【００９１】
（調理情報等の提供が行われるときのサーバ１４００の動作）
上記のように構成されたサーバ１４００において、調理情報の提供に関する動作は、基本的には実施の形態１のサーバ１０１と同様である。ただし、調理情報の提供等がなされる際に、電子レンジ１０５の使用の履歴情報や調理情報等のダウンロード履歴情報がユーザＩＤと対応して使用者履歴データベース１４０２に記憶され、以下のようなメインテナンス情報の提供のために用いられる。（なお、推薦献立の決定のためにも一旦使用者履歴データベース１４０２に記憶された履歴情報が用いられるようにしてもよい。）
すなわち、情報端末１０３における前記ユーザＩＤ入力画面（図１３）でユーザＩＤ（例えば「００２」）とパスワードが入力され、サーバ１４００に送信されると、上記ユーザＩＤと情報端末１０３のＩＰアドレスとの対応関係が使用者記憶部１４０１に保持され、上記対応関係に基づいて、電子レンジ１０５の使用の履歴情報等がユーザＩＤと対応づけられて使用者履歴データベース１４０２に蓄積される。そこで、使用者履歴データベース１４０２に記憶されている履歴情報が前記図２２に示すような状態のときに、同じ使用者から新たな履歴情報が受信されると、記憶されている履歴情報は図２５に示すように更新される。サービスデータ決定部１４０４は、上記更新された履歴情報と、調理メニューデータベース１４０５に記憶されている各献立を調理する際に使用される電子レンジ１０５の構成部分を示す情報（図２４）とに基づいて、オーブン加熱部やレンジ加熱部の使用回数の合計を求め、これと、サービス規則データベース１４０３に記憶されている各構成部分の使用回数に応じたサービス内容（図２３）とを比べる。そして、使用回数がメインテナンス情報の提供条件を満たしている場合には、例えば消耗部品の交換を促すメッセージなどの送信が送信データ作成部５０５に指示され、前記推薦献立や調理情報とともに、またはこれらとは別個にデータ送信部５０６から情報端末１０３に送信される。
【００９２】
情報端末１０３では、例えば図２６に示すように、推薦献立表示１２０１と伴に、サービスメッセージ１９０１が表示部４１１に表示される。このようなメッセージが表示されることにより、迅速にメインテナンスを行って故障を未然に防ぐことなどができる。このようなサービスは、特に、業務用の調理機器のように使用頻度が高く、かつ、故障の影響が大きい場合などに非常に有効である。
【００９３】
なお、上記の例においては、情報端末１０３における記録媒体１０４に対する履歴情報の読み出しや、調理情報の書き込みはサーバ１０１へのアクセス時に行われる例を示したが、これに限るものではなく、例えばサーバ１０１へのアクセスに先立って読み込まれ、情報端末１０３のメモリなどに保持されるようにしたり、受信された調理情報が使用者による指示がなされるなどの条件が満たされるまで情報端末１０３に保持されるようにするなどしてもよい。また、履歴情報のサーバ１０１への送信や電子レンジ１０５における記録媒体１０４への履歴情報の書き込みなども、使用者の指示などに応じて行われるようにしてもよい。しかし、記録媒体１０４の脱着やサーバ１０１へのアクセス開始などのタイミングで自動的に履歴情報や調理情報の転送などがなされるようにすることにより、使用者は特にこれらのデータ転送を意識することなく、結果として所望の調理情報などが得られることによる利便性が得られる。
【００９４】
また、必ずしも常に最新の履歴情報に基づいて推薦献立等を決定するのに限らず、例えば履歴情報の取得ができないような場合などに以前に取得した履歴情報に基づいて決定するようにしてもよい。すなわち、通常、嗜好性などが急に変わることはないと考えられるので、ある程度妥当な情報を提供することはできる。
【００９５】
また、図１９に示すように表示される推薦献立は２つに限るものではなく、さらに多くしてもよいし、また、使用者が設定したりできるようにしてもよい。また、推薦献立の中から選択し得る献立も１つに限らず、複数選択してそれぞれの調理情報をダウンロードできるようにしてもよい。
【００９６】
また、記録媒体１０４に記憶されてデータ読み込み部４０２等により読み出される情報は、履歴情報や調理情報だけでなく、記録媒体１０４を特定する情報や、使用者を特定する情報なども含まれるようにしてもよい。
【００９７】
また、実施の形態２では調理情報とメインテナンス情報とを提供する例を示したが、メインテナンス情報だけを提供するようにしたり、実施の形態１と同様に調理情報だけを提供するようにしたりしてもよい。また、実施の形態１においても、調理情報に代えて、または調理情報とともにメインテナンス情報を提供するようにしてもよい。さらに、上記各データベースに記憶され提供される情報（サービス内容）は一例であり、上記調理情報等に代えて、またはこれらとともに種々のものを適用することができる。すなわち、例えば提供した調理情報の献立に使用される食材や使用者が利用する食材などの販売者の広告を併せて表示させたり、食材の宅配サービスと連携させるなどしてもよい。
【００９８】
また、使用者の履歴情報を利用して不足している食材（栄養素など）を通知するサービスや、健康に関するアドバイスを行うサービスなどを行うこともできる。
【００９９】
また、推薦献立の決定方法は、特に限定されるものではなく、例えば種々の嗜好性の推定方法を用いたりランダム性を加味したりしてもよいし、カロリー制限や塩分量などを考慮に入れるようにしたりしてもよい。また、逆にあまり食されていない食材を推薦するのもよい。
【０１００】
また、上記実施の形態では、調理機器として電子レンジを用いて説明したが、ＩＨクッキングヒータ、トースタ、ガスコンロ、炊飯器などの調理機能を有する調理機器においても同様の効果を得ることができる。
【０１０１】
また、調理実績やお気に入り登録などの履歴情報における嗜好を反映する料理関係者としては、飲食者や調理者だけでなく、ホテルやレストランのオーナーなどの調理機器を使用して料理をすることに関連する対象者も含まれる。
【０１０２】
また、上記実施の形態では、主に調理機器に対して情報を提供するようにしたが、調理機器にデータを送り得る携帯機器に情報を提供してもよい。例えば図３に示す操作入力部と表示部を備えた装置が調理機器から脱着可能であり、しかも調理機器に対して情報の送受信を行う機能を有する携帯機器などを使用してもよい。また、ＰＤＡ（携帯情報端末）や携帯電話などの情報提供手段を用いて調理機器を使用する関係者に情報を提供することにより、本実施の形態のような使用者に合った情報を容易に提供することが可能となり、しかも数多くあるデータの中から１つまたはいくつかを選ぶのに要する手間を軽減することが可能となる。このことにより、スーパーストアや市場などの買い物や、通勤などの作業過程で簡単にレシピを選択でき、無駄な買い物や、買い物の手配や段取りなどの無駄な作業を軽減でき、主婦や、レストラン・ホテルなどの作業者（仕入れ業者、調理人など）の負荷も軽減できる。特に食事に関しては日々の問題であり、この作業の軽減により、余暇の実現や他のサービスの充実などが図れる。
【０１０３】
【発明の効果】
以上のように本発明によると、実際に調理に用いられた調理情報などに基づいて、推薦される調理情報が決定されるので、使用者に合った情報を容易に提供、取得することができ、しかも、数多くあるデータの中から１つまたはいくつかを選ぶのに要する手間を軽減することができる。
【図面の簡単な説明】
【図１】
実施の形態１の調理関連情報提供システムの全体構成を示すブロック図である。
【図２】
同、電子レンジの概観を示す斜視図である。
【図３】
同、電子レンジの操作入力部および表示部の例を示す正面図である。
【図４】
同、電子レンジの要部の機能的構成を示すブロック図である。
【図５】
同、電子レンジの要部のハードウェア構成を示すブロック図である。
【図６】
同、記録媒体の記憶構造の例を示す説明図である。
【図７】
同、情報端末の要部の機能的構成を示すブロック図である。
【図８】
同、サーバの要部の機能的構成を示すブロック図である。
【図９】
同、レシピデータが選択される際の表示例を示す説明図である。
【図１０】
同、調理が行われる際の表示例を示す説明図である。
【図１１】
同、電子レンジの動作を示すフローチャートである。
【図１２】
同、履歴情報の例を示す説明図である。
【図１３】
同、レシピデータのダウンロードの際の表示例を示す説明図である。
【図１４】
同、情報端末およびサーバの動作を示すフローチャートである。
【図１５】
同、情報端末からサーバに送信される履歴情報等の例を示す説明図である。
【図１６】
同、推薦規則データベースの記憶内容の例を示す説明図である。
【図１７】
同、推薦規則データベースの他の記憶内容の例を示す説明図である。
【図１８】
同、推薦規則データベースのさらに他の記憶内容の例を示す説明図である。
【図１９】
同、推薦献立の表示例を示す説明図である。
【図２０】
同、情報端末からサーバに送信される調理情報送信要求の例を示す説明図である。
【図２１】
実施の形態２のサーバの要部の機能的構成を示すブロック図である。
【図２２】
同、使用者履歴データベースの記憶内容の例を示す説明図である。
【図２３】
同、サービス規則データベースの記憶内容の例を示す説明図である。
【図２４】
同、調理メニューデータベースの記憶内容の例を示す説明図である。
【図２５】
同、更新後の使用者履歴データベースの記憶内容の例を示す説明図である。
【図２６】
同、サービスメッセージの表示例を示す説明図である。
【符号の説明】
１０１      サーバ
１０２      インターネット
１０３      情報端末
１０４      記録媒体
１０５      電子レンジ
１１１      操作入力部
１１４      表示部
１１４ａ    お気に入りに追加ボタン
１１４ｂ    調理ボタン
１２１      ［上］キー
１２２      ［下］キー
１２３      ［左］キー
１２４      ［右］キー
１２５      ［お気に入り］キー
１２６      ［決定］キー
１２７      ［戻る］キー
１２８      ［スタート］キー
２０１      記録媒体挿入部
２０２      データ読み込み部
２０５      表示データ決定部
２０６      入力解析部
２０７      調理部
２０８      表示データ記憶部
２０９      ユーザデータ記憶部
２１０      データ書き込み部
３０１      ＣＰＵ
３０２      ＲＡＭ
３０３      ＲＯＭ
３０４      書き込み消去可能ＲＯＭ
３０５      入出力インタフェイス
３０６      バス
４０１      記録媒体挿入部
４０２      データ読み込み部
４０３      操作入力部
４０４      入力解析部
４０５      送信データ作成部
４０６      データ送信部
４０７      データ受信部
４０８      受信データ解析部
４０９      データ書き込み部
４１０      表示制御部
４１１      表示部
５０１      データ受信部
５０２      受信データ解析部
５０３      応答規則データベース
５０４      送信元記憶部
５０５      送信データ作成部
５０６      データ送信部
５０７      推薦規則データベース
５０８      推薦データ決定部
５０９      調理メニューデータベース
６０１      履歴情報
６０２      履歴情報
７０１      ＩＤ入力部
７０２      パスワード入力部
７０３      実行ボタン
８０１      送信データ
８０２      プログラム実行指示部
８０３      履歴データ部
９０１      テーブル
１００１      調理材料分類情報
１１０１      調理種別分類情報
１２０１      推薦献立表示
１３０１      送信データ
１４００      サーバ
１４０１      使用者記憶部
１４０２      使用者履歴データベース
１４０３      サービス規則データベース
１４０４      サービスデータ決定部
１４０５      調理メニューデータベース
１９０１      サービスメッセージ
２００１      レシピサービス用ディレクトリ
２００２      メタデータファイル
２００３      レシピディレクトリ
２００４      画像ファイル
２００５      調理データファイル
２００６      作り方ファイル
２００７      材料ファイル
２００９      履歴情報